(57)【要約】【課題】放射性薬液を被験体に投与する場合、放射性薬液から放射される放射線による作業者への被曝を最小限に抑えることができる放射性薬液注入装置を提供することである。【解決手段】放射線を遮断する遮断隔壁２２ａ、２２ｂと、放射性薬液を注入する薬液注入器４６を保持するために遮断隔壁２２ａ、２２ｂの内部空間部４４に設けられるホルダ２４と、薬液注入器４６に係合し、遮断隔壁２２の外部から薬液注入器４６を操作するプランジャ２８と、遮断隔壁２２の内部空間部４４に対して、薬液注入器４６に接続された被験体Ｍを挿入するための挿入口３０を備えることにより、薬液注入器４６から被験体Ｍの体内へ放射性薬液の注入作業を行う場合に放射される放射線による作業者の被曝を防ぐことができる。【選択図】図１
2005287874.tif 000002
【特許請求の範囲】
【請求項１】
放射線を遮断する遮断隔壁と、
放射性薬液を注入する薬液注入器を保持するために前記遮断隔壁の内部空間部に設けられるホルダと、
前記薬液注入器に係合し、前記遮断隔壁の外部から前記薬液注入器を操作するプランジャと、
前記遮断隔壁の内部空間部に対して、前記薬液注入器に接続された被験体を挿入するための挿入口とを備えることを特徴とする放射性薬液注入装置。
【請求項２】
請求項１記載の放射性薬液注入装置において、
前記ホルダに前記薬液注入器を保持させるべく、前記遮断隔壁の一部が開閉自在な変位隔壁を有することを特徴とする放射性薬液注入装置。
【請求項３】
請求項２記載の放射性薬液注入装置において、
前記変位隔壁が、前記薬液注入器を外部から視認可能であり、放射線を遮断する薬液注入器用視認窓を有することを特徴とする放射性薬液注入装置。
【請求項４】
請求項１乃至３のいずれか１項に記載の放射性薬液注入装置において、
前記遮断隔壁が、前記内部空間部に挿入された前記被験体を外部から視認可能であり、放射線を遮断するガラス隔壁を有することを特徴とする放射性薬液注入装置。
【請求項５】
請求項１乃至４のいずれか１項に記載の放射性薬液注入装置において、
前記薬液注入器と前記被験体との接続、前記被験体への前記放射性薬液の注入を補助するための薬液注入補助器と前記薬液注入器との接続、及び前記薬液注入補助器と前記被験体との接続とを切り替える三方活栓を有することを特徴とする放射性薬液注入装置。
【請求項６】
請求項５記載の放射性薬液注入装置において、
前記三方活栓に係合し、前記遮断隔壁の外部から前記三方活栓を操作する操作部を有することを特徴とする放射性薬液注入装置。
【請求項７】
請求項５記載の放射性薬液注入装置において、
前記薬液注入補助器が、前記遮断隔壁に対し注入口を下として傾いて配置されることを特徴とする放射性薬液注入装置。
【発明の詳細な説明】
【技術分野】
【０００１】
本発明は、放射性薬液を被験体の体内に投与する場合に、作業者への被曝を最小限に抑えるための放射性薬液注入装置に関するものである。
【背景技術】
【０００２】
近年の医療において、放射能を有する化合物を被験体に投与し、患部に集中する放射性化合物の放射線を利用して患部の病状を調べることが盛んに行われてきている。
【０００３】
被験体に放射性薬液を投与する場合には、先ず、放射性薬液が入った容器から注射器に放射性薬液が注入される。容器から注射器に放射性薬液を注入する場合に、作業者が被曝するおそれがあることから、特許文献１に示される放射性薬液分注装置を用いて容器から注射器への注入が行われる。
【０００４】
次いで、放射性薬液が注入された注射器を用いて、被験体の体内へ放射性薬液が投与される。この際にも、作業者が被曝するおそれがあることから、特許文献２に示される注射器シールド装置を用いて注射器の周りを被い、作業者の被曝が軽減されるようにして、被験体の体内への放射性薬液の投与が行われる。
【０００５】
【特許文献１】特公平３−３１４６８号公報
【特許文献２】実公平４−４０６８２号公報
【発明の開示】
【発明が解決しようとする課題】
【０００６】
しかしながら、上述した注射器シールド装置の場合、高いシールド効果を得るためには、隔壁を相当厚く構成しなければならず、その分、装置の重量が増大し、操作性が低下する問題がある。それにもかかわらず、注射器に注入された放射性薬液から放射される放射線を完全には遮断することは極めて困難であり、作業者が迅速な作業を強いられているのが現状である。
【０００７】
本発明は、放射性薬液を被験体に投与する場合、放射性薬液から放射される放射線による作業者への被曝を最小限に抑えることができる放射性薬液注入装置を提供することを目的とする。
【課題を解決するための手段】
【０００８】
本発明のかかる目的は、放射線を遮断する遮断隔壁と、放射性薬液を注入する薬液注入器を保持するために前記遮断隔壁の内部空間部に設けられるホルダと、前記薬液注入器に係合し、前記遮断隔壁の外部から前記薬液注入器を操作するプランジャと、前記遮断隔壁の内部空間部に対して、前記薬液注入器に接続された被験体を挿入するための挿入口とを備えることを特徴とする放射性薬液注入装置によって達成される。
【０００９】
本発明によれば、薬液注入器の周りを、放射線を遮断する遮断隔壁で被うことにより、放射性薬液を被験体に投与する場合の放射性薬液から放射される放射線による作業者への被曝を最小限に抑えることができる。
【００１０】
なお、前記ホルダに前記薬液注入器を保持させるべく、前記遮断隔壁の一部を開閉自在な変位隔壁とすることにより、当該装置の設定作業効率を高めることができる。
【００１１】
前記遮断隔壁が、前記内部空間部に挿入された前記被験体を外部より視認可能であり、放射線を遮断するガラス隔壁を有し、また、前記遮断隔壁が、前記薬液注入器を外部から視認可能であり、放射線を遮断する薬液注入器用視認窓を有することにより、作業者が放射性薬液を被験体に投与する場合に目視で確認しながら作業を行うことができる。
【００１２】
前記薬液注入器に接続され前記被験体への薬液の注入を補助するための薬液注入補助器と、前記薬液注入器と、前記被験体との接続を切り替える三方活栓を有することにより、前記被験体に対して放射性薬液を好適に注入することができる。
【００１３】
前記三方活栓に係合し、前記遮断隔壁の外部から前記三方活栓を操作する操作部を有することにより、作業者は、放射性薬液の前記被験体への注入を遮断隔壁の外部から行うことができる。
【００１４】
前記薬液注入補助器が、前記遮断隔壁に対し注入口を下として傾いて配置されることにより、前記装置内における空気の混入を回避することができる。
【発明の効果】
【００１５】
本発明によれば、薬液注入器の周りを放射線を遮断する遮断隔壁で被うことにより、放射性薬液を被験体に投与する場合の放射性薬液から放射される放射線による作業者への被曝を最小限に抑えることができる。
【発明を実施するための最良の形態】
【００１６】
本発明に係る放射性薬液注入装置について、好適な実施の形態を挙げ、添付の図面を参照しながら以下に説明する。
【００１７】
図１は、本実施形態に係る放射性薬液注入装置の本体外観図である。図２は、ホルダに保持される薬液注入器に関する分解図である。図３は、変位隔壁を薬液注入器の上部に摺動する前の放射性薬液注入装置の平面図である。図４は、変位隔壁を薬液注入器の上部に摺動する前の放射性薬液注入装置の側面図である。図５は、変位隔壁を薬液注入器の上部に摺動した後の放射性薬液注入装置の本体外観図である。
【００１８】
図４に示すように、放射性薬液注入装置１０は、車輪１４に支持された基台１６を有し、基台１６には支柱１８を介して、本体部１２が支持される。このように構成される放射性薬液注入装置１０は病院内で移動させて使用することができる。
【００１９】
図１に示すように、放射性薬液注入装置１０の本体部１２は、支持台２０、遮断隔壁２２ａ、２２ｂ、ホルダ２４、三方活栓２６、プランジャ２８、挿入口３０、変位隔壁３２、操作部３４及びガラス隔壁４２を備える。
【００２０】
遮断隔壁２２ａ、２２ｂは、支持台２０上に略Ｌ字形状に配設され、被験体Ｍに放射性薬液を投与する場合に、作業者が被曝するのを防ぐために薬液注入器の周りから放射される放射線を遮断する内部空間部４４を構成する。なお、遮断隔壁２２の形状は、遮断隔壁２２ａ、２２ｂ側で作業を行う作業者が被曝しない形であればよい。また、支持台２０、遮断隔壁２２ａ、２２ｂは、放射線を遮断できれば特に限定されないが、鉛やタングステンで形成されるのが好ましい。また、十分な厚みを有する含塩アクリル板で形成することも可能である。
【００２１】
ホルダ２４は、放射性薬液が注入された薬液注入器４６を薬液注入器用ホルダ５０を介して保持するもので、遮断隔壁２２ａに固定される。薬液注入器４６は、図２に示されるように、薬液注入器４６に注入される放射性薬液から放射される放射線を遮断するための薬液注入器遮断部５２に挿入される。薬液注入器遮断部５２には、被験体Ｍへ注入される放射性薬液の量を視認するために薬液注入器視認窓５４が設けられている。薬液注入器視認窓５４は、鉛ガラス等の透過性を有し、放射線を遮断する材料で形成でされている。さらに、薬液注入器４６が挿入された薬液注入器遮断部５２と後述する三方活栓２６が薬液注入器用ホルダ５０に嵌合される。
【００２２】
三方活栓２６は、被験体Ｍへ放射性薬液の注入を補助するための薬液注入補助器６６と薬液注入器４６と被験体Ｍとの接続を切り替えるもので、被験体Ｍにチューブ６４ａを介して接続される第１ポート５６ａ、薬液注入補助器６６にチューブ６４ｂを介して接続される第２ポート５６ｂ及び薬液注入器４６に接続される第３ポート５６ｃを有する。三方活栓２６は、接続を切り替えるためのレバー５８を有する。
【００２３】
遮断隔壁２２ａには、ガイド部材６０に沿って変位するピストンホルダ６２が配設される。ピストンホルダ６２には、薬液注入器４６のピストン４８の端部が係合するとともにプランジャ２８の一端部が連結される。プランジャ２８は、薬液注入器４６のピストン４８を遮断隔壁２２ｂの外部から操作するためのものである。図１に示すように、プランジャ２８は、遮断隔壁２２ｂに設けられた貫通孔に挿入して保持され、他端部が外部に突出している。なお、遮断隔壁２２ａ、２２ｂの外部から薬液注入器４６を操作できれば、プランジャ２８を遮断隔壁２２ａ、２２ｂに設けられた貫通孔に挿入して保持されるように設けられてなくともよい。また、ピストンホルダ６２をタングステン等の放射線を遮断する材料で形成することにより、薬液注入器４６のピストン４８側から放射される放射線が前記貫通孔を通じて、外部に漏洩するのを防ぐことができる。
【００２４】
挿入口３０は、被験体Ｍを遮断隔壁２２ａ、２２ｂの内部空間部４４に挿入するために設けられている。
【００２５】
変位隔壁３２は、作業者が薬液注入器４６をホルダ２４へ装着するために、ホルダ２４の上部を開閉自在とするように設けられている。図１に示すように、変位隔壁３２は、遮断隔壁２２ａの上部に沿って摺動する。なお、ホルダ２４の上部を開閉できれば、変位隔壁３２の開閉方法は特に限定されるものではない。
【００２６】
変位隔壁３２は、操作部３４と薬液注入補助器６６を保持するための薬液注入補助器用ホルダ７０及び変位隔壁視認窓７８を備えている。操作部３４は、変位隔壁３２の外部から三方活栓２６を操作するために用いられる。操作部３４は上下に変位可能であり、変位隔壁３２を貫通する操作部３４の操作軸３６の下端部には、三方活栓２６と係合するための溝部３８が設けられている。変位隔壁３２には、支軸７４を中心に回転自在なストッパ７２が配設され、ストッパ７２の溝７６が操作軸３６に係合可能である。
【００２７】
操作軸３６が変位隔壁３２を貫通するために形成されている貫通孔から放射線が漏れるのを防ぐために、変位隔壁３２とストッパ７２の間には遮断板４０が狭持されている。操作軸３６と遮断板４０は、内部空間部４４から放射線が漏れるのを防ぐためにタングステン等の放射線を遮断する材料で形成されていることが好ましい。
【００２８】
薬液注入補助器用ホルダ７０には、薬液注入補助器６６を嵌合した場合に、ピストン６８が変位隔壁３２に対して薬液注入補助器６６の先端部よりも上部に位置するように傾斜面が設けられている。薬液注入補助器６６を操作する場合、ピストン６８側が持ち上がっていることにより、薬液注入補助器６６内でピストン６８の上部に空気が集まり、チューブ６４ｂへの空気の混入を回避することができる。
【００２９】
変位隔壁視認窓７８は、変位隔壁３２を遮断隔壁２２ａに沿って変位させ、図５に示す状態となった場合に、薬液注入器４６内の放射性薬液の量を視認するために用いられる。
【００３０】
ガラス隔壁４２は、内部空間部４４に挿入された被験体Ｍに放射性薬液を投与する作業を目視できるように遮断隔壁２２ａの一部に固定されている。
【００３１】
変位隔壁視認窓７８及びガラス隔壁４２は、放射線を遮断でき、且つ、光透過性を有する材料で形成されていれば特に限定されないが、鉛ガラスで形成されるのが好ましい。
【００３２】
次に、放射性薬液注入装置１０の動作について説明する。
【００３３】
先ず、薬液注入補助器６６内に被験体Ｍの体液と同等の浸透圧からなる生理的食塩水を注入する。次いで、三方活栓２６の第１ポート５６ａとチューブ６４ａを接続し、チューブ６４ｂを介して第２ポート５６ｂと薬液注入補助器６６を接続する。三方活栓２６を介してチューブ６４ａとチューブ６４ｂが接続されるように三方活栓２６のレバー５８を切り替え、チューブ６４ａの先端部に設けられている注射針まで生理的食塩水をピストン６８によって押し出す。次いで、被験体Ｍにチューブ６４ａの先端部に設けられている注射針を差し込み、ピストン６８を引くことによって、被験体Ｍの血管を確保する。
【００３４】
一方、薬液注入器４６を薬液注入器遮断部５２に挿入した状態で、図示しない放射性薬液分注装置を用いて放射性薬液を薬液注入器４６に注入する。次いで、図１の状態において、薬液注入器遮断部５２に挿入された薬液注入器４６を薬液注入器用ホルダ５０に係合し、薬液注入器４６に三方活栓２６の第３ポート５６ｃを接続した後、速やかに変位隔壁３２を遮断隔壁２２ａに沿って変位させる。このとき、薬液注入器４６は、支持台２０、遮断隔壁２２、２２ｂ及び変位隔壁３２によって被われるため、遮断隔壁２２ａ、２２ｂ側に位置する作業者が被曝する事態を回避することができる。
【００３５】
被験体Ｍを挿入口３０から内部空間部４４に挿入し、ストッパ７２を回動させ、図５の状態とすることにより操作部３４が下降し、溝部３８がレバー５８に係合する。次いで、操作部３４を操作し、三方活栓２６及びチューブ６４ａを介して薬液注入器４６と被験体Ｍが接続されるようにレバー５８を切り替える。次に、作業者は、プランジャ２８を操作し、放射性薬液をピストン４８によって押し出し、チューブ６４ａ内の生理的食塩水を介して被験体Ｍの体内に放射性薬液を注入する（以下この注入工程を「工程１」とする）。この場合、ピストン４８を完全に押し込んでも、チューブ６４ａ内には、放射性薬液の一部が残留する。
【００３６】
そこで、ピストン４８を押し込んだ後、操作部３４を操作し、三方活栓２６及びチューブ６４ｂを介して薬液注入器４６と薬液注入補助器６６が接続されるようにレバー５８を切り替えた後、薬液注入器４６のピストン４８を引き出し、生理的食塩水を薬液注入器４６に注入する（以下この注入工程を「工程２」とする）。次いで、再び、操作部３４を操作し、三方活栓２６及びチューブ６４ａを介して薬液注入器４６と被験体Ｍを接続し、工程１を繰り返す。
【００３７】
工程１及び工程２を必要な回数繰り返すことにより、チューブ６４ａ内及び薬液注入器４６内に残っている放射性薬液を略完全に被験体Ｍの体内に注入することができる。
【００３８】
このようにして、放射性薬液注入装置１０を用いることにより被験体Ｍの体内への放射性薬液の注入が完了する。
【００３９】
本発明によれば、薬液注入器４６の周りを放射線を遮断する支持台２０、遮断隔壁２２、２２ｂで被うことにより、放射性薬液を被験体Ｍに投与する作業を行う場合に、薬液注入器４６及びチューブ６４ａから放射される放射線による作業者への被曝を最小限に抑えることができる。
【００４０】
また、この発明は、上述の実施の形態に限らず、この発明の要旨を逸脱することなく、種々の構成を採り得ることはもちろんである。
【図面の簡単な説明】
【００４１】
【図１】図１は、本実施形態に係る放射性薬液注入装置の本体外観図である。
【図２】図２は、ホルダに保持される薬液注入器に関する分解図である。
【図３】図３は、変位隔壁を薬液注入器の上部に摺動する前の放射性薬液注入装置の平面図である。
【図４】図４は、変位隔壁を薬液注入器の上部に摺動する前の放射性薬液注入装置の側面図である。
【図５】図５は、変位隔壁を薬液注入器の上部に摺動した後の放射性薬液注入装置の本体外観図である。
【符号の説明】
【００４２】
１０…放射性薬液注入装置        １２…本体部
１４…車輪                      １６…基台
１８…支柱                      ２０…支持台
２２、２２ａ、２２ｂ…遮断隔壁  ２４…ホルダ
２６…三方活栓                  ２８…プランジャ
３０…挿入口                    ３２…変位隔壁
３４…操作部                    ３６…操作軸
３８…溝部                      ４０…遮断板
４２…ガラス隔壁                ４４…内部空間部
４６…薬液注入器                ４８、６８…ピストン
５０…薬液注入器用ホルダ        ５２…薬液注入器遮断部
５４…薬液注入器視認窓          ５６ａ…第１ポート
５６ｂ…第２ポート              ５６ｃ…第３ポート
５８…レバー                    ６０…ガイド部材
６２…ピストンホルダ            ６４ａ、６４ｂ…チューブ
６６…薬液注入補助器            ７０…薬液注入補助器用ホルダ
７２…ストッパ                  ７４…支軸
７６…溝                        ７８…変位隔壁視認窓
Ｍ…被験体
【図１】
2005287874.tif 000003
【図２】
2005287874.tif 000004
【図３】
2005287874.tif 000005
【図４】
2005287874.tif 000006
【図５】
2005287874.tif 000007